(57)【要約】      （修正有）【課題】エレベータの乗りかごの天井における配線経路の検討を自動的に行うことができ、このため配線作業の時間を短縮することができるとともに配線経路が作業者毎に異なることを抑制することができる配線経路最適化装置を提供する。【解決手段】エレベータの乗りかごの天井における配線経路の最適化を行う配線経路最適化装置３は、配線作業の対象となるエレベータの情報を入力するための操作部４と、操作部４において入力されたエレベータの情報に基づいて、乗りかごの天井における最適の配線経路およびこの配線経路に基づく配線に係る工程毎の作業予測時間（作業時間内訳）を計算する制御部３ａと、制御部３ａにおいて計算された、乗りかごの天井８における最適の配線経路および配線の工程毎の作業予測時間を表示する表示部５と、を備えている。【選択図】図２
2009220900.tif 000002
【特許請求の範囲】
【請求項１】
エレベータの乗りかごの天井における配線経路の最適化を行う配線経路最適化装置であって、
配線作業の対象となるエレベータの情報を入力するための操作部と、
前記操作部に接続され、当該操作部において入力されたエレベータの情報に基づいて、乗りかごの天井における最適の配線経路およびこの配線経路に基づく配線に係る工程毎の作業予測時間を計算する制御部と、
前記制御部に接続され、当該制御部において計算された、乗りかごの天井における最適の配線経路および配線の工程毎の作業予測時間を表示する表示部と、
を備えたことを特徴とする配線経路最適化装置。
【請求項２】
前記操作部において、乗りかごの天井において配線を行うことができない範囲である配線不可範囲を設定することができるようになっており、
前記制御部は、前記操作部において設定された前記配線不可範囲に配線経路が含まれないよう、最適の配線経路および配線に係る工程毎の作業予測時間を計算し、前記表示部は、前記制御部において計算された、配線不可範囲に含まれないような最適の配線経路および配線に係る工程毎の作業予測時間を表示することを特徴とする請求項１記載の配線経路最適化装置。
【請求項３】
前記操作部において、前記表示部で表示される配線経路の修正を行うことができるようになっており、
前記制御部は、前記操作部における配線経路の修正内容に基づいて、最適の配線経路および配線に係る工程毎の作業予測時間を計算し、前記表示部は、前記制御部において計算された、前記操作部における配線経路の修正内容に基づいた最適の配線経路および配線に係る工程毎の作業予測時間を表示することを特徴とする請求項１または２記載の配線経路最適化装置。
【請求項４】
前記制御部において計算された乗りかごの天井における最適の配線経路を記憶するための記憶部を更に備え、
前記表示部は、前記記憶部に記憶された配線経路およびこの配線経路に基づく配線の工程毎の作業予測時間を表示することができるようになっており、
前記操作部において、前記制御部において計算された乗りかごの天井における最適の配線経路を前記記憶部に記憶させることができるとともに、前記記憶部に記憶された複数の配線経路から一の配線経路を選択することができるようになっていることを特徴とする請求項１乃至３のいずれか一項に記載の配線経路最適化装置。
【請求項５】
前記制御部において計算された乗りかごの天井における最適の配線経路は自動的に前記記憶部に記憶されるようになっており、
前記制御部は、前記記憶部に記憶された配線経路と、前記操作部において入力されたエレベータの情報に基づいて、複数の配線経路の候補を用意し、前記表示部は、前記制御部において用意された複数の配線経路の候補を表示し、前記操作部において、前記表示部で表示された複数の配線経路の候補の中から１つの配線経路を選択することができるようになっていることを特徴とする請求項４記載の配線経路最適化装置。
【発明の詳細な説明】
【技術分野】
【０００１】
本発明は、エレベータの乗りかごの天井における配線経路の最適化を行う配線経路最適化装置に関し、とりわけ、エレベータの乗りかごの天井における配線経路の検討を自動的に行うことができ、このため配線作業の時間を短縮することができるとともに配線経路が作業者毎に異なることを抑制することができる配線経路最適化装置に関する。
【背景技術】
【０００２】
エレベータの乗りかごに設置されたかご室構造の一例を図９に示す。図９はかご室３３の斜視図であり、このかご室３３の構成の詳細は以下に述べるようなものとなっている。
【０００３】
かご室３３は、その底部においてかご床３４を備えている。かご床３４の前面側には、かご戸３５が摺動するようなかご敷居３６がネジによりに締結されている。かご戸３５は、その上部においてかご戸駆動装置３７に接続されている。かご床３４の上面には、巾木３８がネジにより締結されており、この巾木３８は、かご出入口部３９を除いたかご室３３の４面周囲を取り巻いている。側板４０は、その左右両側面がネジにより他の側板４０に締結されており、かご出入口部３９の上方ではかご幕板４１の左右両側面とネジにより締結されている。側板４０およびかご幕板４１の上面には、乗りかごの天井（以下、かご天井ともいう）８がネジにより締結されている。
【０００４】
かご天井８の上面には、補強部材１０が縦方向および横方向に延びるよう適宜配置されており、この補強部材１０は溶接によりかご天井８に取り付けられている。かご天井８は、エレベータの仕様や機種によりサイズが異なり、その上面に設置される補強部材１０の本数もエレベータの仕様や機種により異なるようになっている。
【０００５】
かご天井８の上面には、かご室３３の内部の照明灯４２の配置に合わせて点検口４３が個々に開口している。また、点検口４３を覆うカバー４４がネジによりかご天井８に締結されている。図９に示すような例においては、点検口４３およびカバー４４はそれぞれ９個ずつ取り付けられている。
【０００６】
かご天井８の上面には、換気装置４５の送風口４６が設けられており、換気装置４５は送風口４６に合わせてネジによりかご天井８に締結されている。図９に示すような例においては、換気装置４５は２個取り付けられている。
【０００７】
かご天井８の上面には、スピーカー４７の音抜き穴４８が設けられており、スピーカー４７は音抜き穴４８に合わせてネジによりかご天井８に締結されている。図９に示すような例においては、スピーカー４７は２個取り付けられている。
【０００８】
かご天井８の上面には、照明灯４２、換気装置４５、スピーカー４７等の各部品からの配線ケーブル４９を接続するための端子箱５０がネジにより締結されている。図９に示すような例においては、端子箱５０は２個取り付けられている。
【０００９】
なお、かご天井８に対してネジにより締結された照明灯４２、換気装置４５、スピーカー４７等の各部品の個数、配置位置は、エレベータの仕様や機種により異なるようになっている。
【００１０】
次に、かご天井８の構成の一例を図１０に示す。図１０は、図９におけるかご室３３のかご天井８のＸ−Ｘ矢視による断面図である。
【００１１】
かご天井８には６本の補強部材１０がかご室３３の奥行き方向に配置されている。かご天井８の下方領域はかご室内部５１となっており、かご天井８の下面には照明ケース５２がネジにより締結されている。照明ケース５２の下端部の周囲には枠５３がネジより締結されている。枠５３の上面には、調光板５４（ルーバー等）、色板５５（アクリル等）が重ねられて固定具５６（クリップ等）により固定されている。かご天井８の下面において照明ケース５２の内部には、照明灯４２の電源５７がネジにより締結されている。照明灯４２は電源５７から延びる電力供給ケーブル５８が連結されている。
【００１２】
次に、かご天井８の配線構造について図１１を用いて説明する。図１１は、図９に示すかご天井８を上方より見た上面図である。図１１において、かご天井８に締結された照明灯４２、換気装置４５、スピーカー４７等の各部品に配線ケーブル４９を配線させたものを図示している。この配線ケーブル４９は、配線ケーブル４９ａ〜４９ｅに分割されている。配線ケーブル４９は照明灯４２の電源５７から、カバー４４に開けられた配線穴４４ａにより順次接続されるが、エレベータ制御盤の電源容量定格により、配線ケーブル４９ａ、４９ｂの２つの系統に分割される。それぞれの配線ケーブル４９ａ、４９ｂの系統は補強部材１０の上端を跨ぐことなく、補強部材１０に設けられた配線穴１０ａを介して端子箱５０に到達し、この端子箱５０に接続されるようになっている。配線穴１０ａは所定位置に設けられており、長尺の補強部材１０で両端部２カ所と中央部１カ所の計３カ所、中尺の補強部材１０で両端部２カ所、短尺の補強部材１０で中央部１カ所となっている。
【００１３】
換気装置４５からの配線ケーブル４９ｃは、２つの換気装置４５を直列につなぎながら、端子箱５０に到達し、この端子箱５０に接続されるようになっている。スピーカー４７からの配線ケーブル４９は配線ケーブル４９ｄ、４９ｅの２つの系統に分割され、それぞれの配線ケーブル４９ｄ、４９ｅが端子箱５０に到達し、この端子箱５０に接続されるようになっている。
【００１４】
次に、かご天井８の配線の作業内容について説明する。作業者には、かご天井８の上面に補強部材１０が溶接により取り付けられるとともにカバー４４がネジにより取り付けられた状態で、かご天井８が渡される。照明灯４２等の他の部品は未だかご天井８に取り付けられていない。作業者は、まず、かご天井８の上面に、換気装置４５、スピーカー４７および端子箱５０をネジにより締結する。
【００１５】
次に、エレベータの各部品の据付作業の効率とその後の保守点検の効率を考慮して、かご天井８の上面全体での配線経路の検討を、実際に配線ケーブル４９ａ〜４９ｅを引き回しながら長時間にわたり行う。具体的には、作業者は、（Ａ）かご天井８の上面中央部における作業足場を確保するため配線ケーブル４９ａ〜４９ｅをできるだけ遠巻きにする、（Ｂ）補強部材１０の近傍に配線ケーブル４９ａ〜４９ｅを設置して、できるだけ配線ケーブル４９ａ〜４９ｅを踏まないようにする、（Ｃ）カバー４４の開閉が容易になるように配線ケーブル４９ａ〜４９ｅの長さに余裕をもたせる、（Ｄ）照明灯４２に係る配線ケーブル４９ａ、４９ｂの系統分割を最適なものとする、といったことを考慮しながら、配線経路の検討を行う。
【００１６】
このような配線経路の検討が終了し、各配線ケーブル４９ａ〜４９ｅを配置した後、作業者は、配線副資材（インシュロック、クランプ等）により各配線ケーブル４９ａ〜４９ｅをかご天井８の上面に固定する。次に、各配線ケーブル４９ａ〜４９ｅを、部品側（機器端子側）、制御側（端子箱５０内）のそれぞれで必要長さに切断し、末端の被覆を取り除いた後、専用端子を圧着して、かご天井８に締結された各部品に接続する。
【００１７】
さらに、端子箱５０内でエレベータ制御側のコネクターに接続する。なお、図１１では、説明用として各配線ケーブル４９ａ〜４９ｅをばらして示しているが、実際には、上述の検討項目（Ａ）〜（Ｄ）に準じて、補強部材１０の近傍に各配線ケーブル４９ａ〜４９ｅを這わして束ねてクランプしている。又、カバー４４への入出線部は、カバー４４の開閉を余裕で行うことができるように、十分に余裕を持たせている。
【００１８】
なお、エレベータの乗りかごへの電力の供給方法としては、例えば特許文献１に開示されるものが知られている。
【００１９】
【特許文献１】特開２００３−１２２４７号公報
【発明の開示】
【発明が解決しようとする課題】
【００２０】
上述のような一連のかご天井における配線作業において、作業者はエレベータの製番ごとに機械組立図および電気接続図を確認しながら経験に基づいて配線経路を検討し、この配線経路に沿って配線を行っている。しかしながら、従来のかご天井における配線作業では、エレベータの製番毎に、エレベータの仕様や機種によりかご天井のサイズ等が異なるため、作業の標準化が進まず、とりわけ、配線ケーブルを引き回しながらの配線経路の検討に時間を要していた。このため、配線作業の時間の見通しを立てることができず、乗りかごの製作費用がかかってしまうという問題があった。また、配線経路が作業者毎に異なるため、品質が安定しないとともに、現地におけるエレベータの不具合発生時の対応遅れの一因にもなり得てしまうという問題があった。
【００２１】
本発明は、このような点を考慮してなされたものであって、エレベータの乗りかごの天井における配線経路の検討を自動的に行うことができ、このため配線作業の時間を短縮することができるとともに配線経路が作業者毎に異なることを抑制することができる配線経路最適化装置を提供することを目的とする。
【課題を解決するための手段】
【００２２】
本発明の配線経路最適化装置は、エレベータの乗りかごの天井における配線経路の最適化を行う配線経路最適化装置であって、配線作業の対象となるエレベータの情報を入力するための操作部と、前記操作部に接続され、当該操作部において入力されたエレベータの情報に基づいて、乗りかごの天井における最適の配線経路およびこの配線経路に基づく配線に係る工程毎の作業予測時間を計算する制御部と、前記制御部に接続され、当該制御部において計算された、乗りかごの天井における最適の配線経路および配線の工程毎の作業予測時間を表示する表示部と、を備えたことを特徴とする。
【００２３】
本発明の配線経路最適化装置においては、前記操作部において、乗りかごの天井において配線を行うことができない範囲である配線不可範囲を設定することができるようになっており、前記制御部は、前記操作部において設定された前記配線不可範囲に配線経路が含まれないよう、最適の配線経路および配線に係る工程毎の作業予測時間を計算し、前記表示部は、前記制御部において計算された、配線不可範囲に含まれないような最適の配線経路および配線に係る工程毎の作業予測時間を表示することが好ましい。
【００２４】
本発明の配線経路最適化装置においては、前記操作部において、前記表示部で表示される配線経路の修正を行うことができるようになっており、前記制御部は、前記操作部における配線経路の修正内容に基づいて、最適の配線経路および配線に係る工程毎の作業予測時間を計算し、前記表示部は、前記制御部において計算された、前記操作部における配線経路の修正内容に基づいた最適の配線経路および配線に係る工程毎の作業予測時間を表示することが好ましい。
【００２５】
本発明の配線経路最適化装置においては、前記制御部において計算された乗りかごの天井における最適の配線経路を記憶するための記憶部を更に備え、前記表示部は、前記記憶部に記憶された配線経路およびこの配線経路に基づく配線の工程毎の作業予測時間を表示することができるようになっており、前記操作部において、前記制御部において計算された乗りかごの天井における最適の配線経路を前記記憶部に記憶させることができるとともに、前記記憶部に記憶された複数の配線経路から一の配線経路を選択することができるようになっていることが好ましい。
【００２６】
この場合、前記制御部において計算された乗りかごの天井における最適の配線経路は自動的に前記記憶部に記憶されるようになっており、前記制御部は、前記記憶部に記憶された配線経路と、前記操作部において入力されたエレベータの情報に基づいて、複数の配線経路の候補を用意し、前記表示部は、前記制御部において用意された複数の配線経路の候補を表示し、前記操作部において、前記表示部で表示された複数の配線経路の候補の中から１つの配線経路を選択することができるようになっていることがより好ましい。
【発明の効果】
【００２７】
本発明の配線経路最適化装置によれば、エレベータの乗りかごの天井における配線経路の検討を自動的に行うことができ、このため配線作業の時間を短縮することができるとともに配線経路が作業者毎に異なることを抑制することができる。
【発明を実施するための最良の形態】
【００２８】
以下、図面を参照して本発明の実施の形態について説明する。図１乃至図４は、本発明による配線経路最適化装置の実施の形態を示す図である。
このうち、図１は、本実施の形態に係る配線経路最適化装置が配置された、乗りかごの天井（以下、かご天井ともいう）の組立作業場を示す外観図であり、図２は、図１に示す配線経路最適化装置のブロック図である。また、図３は、図１に示す配線経路最適化装置のモニタに表示される入力画面であり、図４は、図１に示す配線経路最適化装置のモニタに表示される出力画面である。なお、本実施の形態に係る配線経路最適化装置は、図９乃至図１１に示すようなエレベータの乗りかごの天井に作業者が配線作業を行うにあたり、この乗りかごの天井における配線経路の最適化を自動的に行うためのものである。
【００２９】
まず、本実施の形態に係る配線経路最適化装置が配置された、乗りかごの天井の組立作業場について図１を用いて説明する。
【００３０】
図１に示すように、組立作業場１には、例えばパーソナルコンピュータ（パソコン）からなる配線経路最適化装置３が設置されている。パソコン等からなる配線経路最適化装置３は、組立作業場１に置かれたパソコン台２上に設置されている。この配線経路最適化装置３は、例えばキーボードやマウス等の操作部４と、例えばモニタ等の表示部５とを有している。ここで、図１に示すように、キーボードやマウス等の操作部４や、モニタ等の表示部５は、それぞれパソコン台２上に置かれている。パソコン台２上には、更にエレベータの製番手配図面６が置かれるようになっている。パソコン台２の下部にはキャスター７等が設けられており、このパソコン台２は組立作業場１内で自在に移動させることができる。
【００３１】
パソコン台２の近傍にはかご天井８が作業台９の上に置かれている。かご天井８には、板金加工により溶接された補強部材１０が既に配置されている。かご天井８には点検口１１が設けられており、点検口１１の近傍におけるかご天井８に打たれたスタッドボルトにカバー１２の穴が通され、カバー１２がネジによりかご天井８に締結されている。かご天井８の近傍には、工具台車１３や、かご天井取付用部品１４（具体的には、例えば照明灯４２、換気装置４５、スピーカー４７等）を載せた台車１５が置かれている。
【００３２】
次に、配線経路最適化装置３の構成の詳細について、図２を用いて説明する。図２に示すように、配線経路最適化装置３の筐体の内部には、例えばＣＰＵからなる制御部３ａが配設されている。この制御部３ａは操作部４および表示部５にそれぞれ接続されており、操作部４により作業者１８から様々な情報が制御部３ａに入力されるとともに、制御部３ａによる計算結果等が表示部５に表示されるようになっている。また、図２に示すように、この制御部３ａには記憶部３ｂが接続されている。
【００３３】
より具体的には、制御部３ａは、操作部４において作業者１８により入力されたエレベータの製番等の情報に基づいて、かご天井８における最適の配線経路、この配線経路に基づく配線に係る工程毎の作業予測時間ならびに各工程における作業予測時間を合計した合計作業時間を計算するようになっている。
【００３４】
表示部５における表示内容について図３および図４を用いて説明する。前述のように、図３は、表示部５に表示される入力画面であり、図４は、表示部５に表示される出力画面である。表示部５において、図３に示す入力画面および図４に示す出力画面は切り換えて表示させることができるようになっている。
【００３５】
まず、表示部５における入力画面について図３を用いて説明する。図３に示すように、入力画面の左側には、エレベータのかご天井８に関する以下の入力項目１６（（１）〜（１６））が入力待ちの状態となっている。以下の（１）〜（１６）の各項目は、事前に設定された入力制約条件を有している。当該入力項目１６における各項目は、（１）間口寸法、（２）奥行寸法、（３）高さ寸法、（４）間口補強位置、（５）奥行補強位置、（６）照明器具種類、（７）照明器具個数、（８）照明器具位置、（９）照明配線系統図、（１０）換気装置種類、（１１）換気装置個数、（１２）換気装置位置、（１３）スピーカー個数、（１４）スピーカー位置、（１５）接続箱個数、（１６）接続箱位置、である。なお、入力項目１６は、配線経路最適化装置３の管理者により、上記以外の項目の追加や入力制約条件の修正等が随時可能となっている。図３に示すように、入力画面の右側には、入力確認用のかご天井イメージ１７の初期図が表示されている。
【００３６】
次に、表示部５における出力画面について図４を用いて説明する。出力画面の右側には、制御部３ａにより計算された、かご天井８における最適の配線経路２４を表示するようになっている。また、出力画面の左側には、制御部３ａにより計算された、上述のような最適な配線経路２４に基づく配線に係る工程（具体的な各工程については図４参照）毎の作業予測時間（作業時間内訳２１）を表示するようになっている。さらに、出力画面の左下側には、各工程における作業予測時間を合計した、合計作業時間２２の大きさが表示されるようになっている。
【００３７】
次に、このような構成からなる配線経路最適化装置３の動作について説明する。
【００３８】
図１に示すような組立作業場１において、作業者１８は、例えばパソコンからなる配線経路最適化装置３を起動する。そして、作業者１８は、パソコン台２の上に置かれた製番手配図面６を確認しながら、図３の入力画面で示した入力項目１６の各項目に係る情報を操作部４により順次入力していく。なお、入力項目１６の入力待ち項目は順次ハイライトまたは色相変化することができ、一目にて入力すべき項目を識別することができるようになっている。そして、入力された項目は順次処理され、かご天井イメージ１７に反映されて表示が更新されていく。もし、途中で入力した内容が制約条件を満たさない場合はエラー表示がなされ、再入力することができるようになっている。
【００３９】
そして、表示部５の入力画面において全ての入力項目１６の入力が終了すると、かご天井イメージ１７と共に内容確認を行い、終了指示ボタン１９を押す。入力内容に誤りがある場合は、修正指示ボタン２０を押すことにより、複数の入力項目１６における一の項目を選定し、この項目について操作部４により再入力を行うことができる。
【００４０】
入力画面において終了指示ボタン１９を押すと、表示部５は図４に示すような出力画面に切り替わる。また、制御部３ａにおいて、操作部４において作業者１８により入力された情報に基づいて、かご天井８における最適の配線経路、この配線経路に基づく配線に係る工程毎の作業予測時間、ならびに各工程における作業予測時間を合計した合計作業時間を計算する。そして、図４に示すような出力画面において、画面の左側には配線作業の各工程に要する作業時間内訳２１（各々の作業予測時間）が時系列で表示される。この作業時間内訳２１には、配線作業時間以外の、例えばかご天井の取付用部品１４の取付作業時間も含まれる。なお、かご天井取付用部品１４の各取付作業時間は、配線経路最適化装置３の記憶部３ｂに予め記憶されており、入力画面における入力項目１６により適宜調整された上で表示される。このようなかご天井取付用部品１４の各取付作業時間は、随時見直しが可能である。さらに、作業時間内訳２１の下には、制御部３ａにより計算された合計作業時間２２が表示されるようになっている。
【００４１】
一方、出力画面の右側にはかご天井イメージ２３が表示され、このかご天井イメージ２３に、配線ケーブル４９ａ〜４９ｅ毎に、制御部３ａにより計算された最適な配線経路２４が表示される。このような配線経路２４は制御部３ａにより自動生成されるものである。
【００４２】
なお、制御部３ａにおける最適な配線経路２４の計算においては、（Ａ）かご天井８の上面中央部における作業足場を確保するため配線ケーブル４９ａ〜４９ｅをできるだけ遠巻きにする、（Ｂ）補強部材１０の近傍に配線ケーブル４９ａ〜４９ｅを設置して、できるだけ配線ケーブル４９ａ〜４９ｅを踏まないようにする、（Ｃ）カバー４４の開閉が容易になるように配線ケーブル４９ａ〜４９ｅの長さに余裕をもたせる、（Ｄ）照明灯４２に係る配線ケーブル４９ａ、４９ｂの系統分割を最適なものとする、といった検討項目が数値条件として盛り込まれる。さらに、制御部３ａにおける最適な配線経路２４の計算においては、配線ケーブル４９の曲げＲや、補強部材１０の配線穴１０ａの位置による制約等も考慮されている。作業者１８は、表示部５で表示された出力画面を確認しながら、配線作業や各々のかご天井取付用部品１４の取付作業を行う。
【００４３】
以上のように本実施の形態の配線経路最適化装置３によれば、操作部４において作業者１８により配線作業の対象となるエレベータの情報、具体的には入力画面における入力項目１６の情報が入力され、制御部３ａにおいて、操作部４において入力された情報に基づいて、かご天井８における最適の配線経路２４、この配線経路２４に基づく配線に係る工程毎の作業予測時間（作業時間内訳２１）ならびに各工程における作業予測時間を合計した合計作業時間２２を計算するようになっている。そして、表示部５において、制御部３ａにおいて計算された、かご天井８における最適の配線経路２４、配線の工程毎の作業予測時間（作業時間内訳２１）、ならびに各工程における作業予測時間を合計した合計作業時間２２をそれぞれ表示するようになっている。このため、作業者１８は、表示部５で表示された出力画面を確認しながら、配線作業や各々のかご天井取付用部品１４の取付作業を行うことにより、配線ケーブル４９を引き回しながらの配線経路２４の検討を行う必要がなくなり、作業者１８は短時間で配線作業を行うことができる。また、表示部５において出力画面で作業時間内訳２１および合計作業時間２２を表示することにより、作業者１８は作業の見通しを立てることができ、目標時間を設定することで作業者１８の志気を向上させることができる。その結果、エレベータのかご天井８の製作費用を低減させることができる。また、配線経路最適化装置３を用いた場合には、作業者１８が異なる場合であっても、配線経路２４を同一のものとすることができるので、かご天井８の品質が安定し、現地でエレベータに不具合が発生した場合であっても即時に対応することができるようになる。
【００４４】
なお、本発明による配線経路最適化装置３は、上記の態様に限定されるものではなく、様々の変更を加えることができる。
【００４５】
例えば、操作部４において、かご天井８において配線を行うことができない範囲である配線不可範囲２６（図５参照）を設定することができるようになっていてもよい。この場合、制御部３ａは、操作部４において設定された配線不可範囲２６に配線経路２４が含まれないよう、最適の配線経路２４およびこの配線経路２４に基づく配線に係る工程毎の作業予測時間を計算し、表示部５は、制御部３ａにおいて計算された、配線不可範囲２６に含まれないような最適の配線経路２４および配線に係る工程毎の作業予測時間を表示するようになっている。
【００４６】
以下、このような変形例について具体的に説明する。このような変形例に係る配線経路最適化装置３は、図５に示すように、表示部５に表示される入力画面に、配線を行うことができない範囲である配線不可範囲２６を設定する範囲限定ボタン２５が追加的に設けられている。作業者１８は、このような範囲限定ボタン２５を押した後、入力画面に表示される天井イメージ１７上で、配線を行うことができない範囲である配線不可範囲２６を１カ所または数カ所、操作部４により指定する。これにより、制御部３ａは、配線不可範囲２６に配線経路２４が含まれないよう、最適の配線経路２４および配線に係る工程毎の作業予測時間を計算する。そして、表示部５に表示される出力画面では、配線不可範囲２６に配線経路２４が含まれないような最適の配線経路２４および配線に係る工程毎の作業予測時間を表示させることができる。また、出力画面にも、配線を行うことができない範囲である配線不可範囲２６を設定する範囲限定ボタン２５を追加的に設けることができ、同じ操作を行うことができる。このような配線経路最適化装置３によれば、作業者１８は、配線不可範囲２６に配線経路２４が含まれないよう、配線経路２４を自動的に設定することができる。
【００４７】
別の変形例では、操作部４において、表示部５で表示される配線経路２４の一部または全部の修正を行うことができるようになっていてもよい。この場合、制御部３ａは、操作部４における配線経路２４の修正内容に基づいて、最適の配線経路２４および配線に係る工程毎の作業予測時間を計算し、表示部５は、制御部３ａにおいて計算された、操作部４における配線経路２４の修正内容に基づいた最適の配線経路２４および配線に係る工程毎の作業予測時間を表示するようになっている。
【００４８】
以下、このような変形例について具体的に説明する。このような変形例に係る配線経路最適化装置３は、図６に示すように、表示部５に表示される出力画面に、配線経路２４の修正を行うことができる修正ボタン２７が追加的に設けられている。作業者１８は、このような修正ボタン２７を押した後、出力画面に表示されるかご天井イメージ２３上で、修正したい配線経路２４を１カ所または数カ所、操作部４により指定し、図６の矢印に示すようなドラッグ機能２８により移動させることができる。これにより、制御部３ａは、このような配線経路２４の修正内容に基づいて、最適の配線経路２４および配線に係る工程毎の作業予測時間を再計算する。そして、表示部５に表示される出力画面では、配線経路２４の修正内容に基づくような、最適の配線経路２４および配線に係る工程毎の作業予測時間を再表示させることができる。このような配線経路最適化装置３によれば、作業者１８は、配線経路２４の修正を行うことができ、この修正内容に基づいて最適な配線経路２４を自動的に再計算することができる。
【００４９】
更に別の変形例では、配線経路最適化装置３の記憶部３ｂは、制御部３ａにおいて計算されたかご天井８における最適の配線経路２４を記憶するようになっており、表示部５は、記憶部３ｂに記憶された配線経路２４およびこの配線経路２４に基づく配線の工程毎の作業予測時間を表示するようになっている。そして、作業者１８は、操作部４において、制御部３ａにおいて計算されたかご天井８における最適の配線経路２４を記憶部３ｂに記憶させることができるとともに、記憶部３ｂに記憶された複数の配線経路２４から一の配線経路２４を選択することができるようになっている。
【００５０】
以下、このような変形例について具体的に説明する。このような変形例に係る配線経路最適化装置３は、図７に示すように、表示部５に表示される出力画面に、ファイル名入力欄２９が設けられており、また、ファイル名をファイル名入力欄２９に入力した後にこのファイル名を登録できる登録ボタン３０が設けられている。このようなファイル名入力欄２９および登録ボタン３０が出力画面に設けられていることにより、作業者１８は、かご天井イメージ２３上の配線経路２４を記憶部３ｂに複数記憶させることができる。そして、表示部５は、出力画面において記憶部３ｂに記憶された複数の配線経路２４を同時にまたは切り換えて表示することにより作業者１８はこの記憶された複数の配線経路２４を比較することができ、実際に作業を行うのに最も適した配線経路２４を選択することができる。
【００５１】
更に別の変形例では、制御部３ａにおいて計算されたかご天井８における最適の配線経路２４は自動的に記憶部３ｂに記憶されるようになっており、制御部３ａは、記憶部３ｂに記憶された配線経路２４と、操作部４において入力されたエレベータの情報に基づいて、複数の配線経路２４の候補を用意し、表示部５は、制御部３ａにおいて用意された複数の配線経路２４の候補を表示し、操作部４において、表示部５で表示された複数の配線経路２４の候補の中から１つの配線経路２４を選択することができるようになっていてもよい。
【００５２】
以下、このような変形例について具体的に説明する。このような変形例に係る配線経路最適化装置３は、図８に示すように、表示部５に表示される出力画面に、記憶部３ｂに記憶された複数の配線経路２４から検索を行う検索ボタン３１が設けられている。作業者１８が検索ボタン３１を押した後、出力画面において、記憶部３ｂに記憶された複数の配線経路２４に係るリストが一覧表示された画面３２が現れ、作業者１８は、このリストの中から１つまたは複数の配線経路２４を呼び出すことができる。そして、かご天井イメージ２３の配線経路２４と比較検証し、修正を行うことで、更に最適化した配線経路２４を作成することができる。
【図面の簡単な説明】
【００５３】
【図１】本発明の実施の形態に係る配線経路最適化装置が配置された、乗りかごの天井の組立作業場を示す外観図である。
【図２】図１に示す配線経路最適化装置のブロック図である。
【図３】図１に示す配線経路最適化装置のモニタに表示される入力画面である。
【図４】図１に示す配線経路最適化装置のモニタに表示される出力画面である。
【図５】図１に示す配線経路最適化装置のモニタに表示される他の入力画面である。
【図６】図１に示す配線経路最適化装置のモニタに表示される他の出力画面である。
【図７】図１に示す配線経路最適化装置のモニタに表示される更に他の出力画面である。
【図８】図１に示す配線経路最適化装置のモニタに表示される更に他の出力画面である。
【図９】エレベータの乗りかごに設置されたかご室構造の一例を示す斜視図である。
【図１０】図９におけるかご室のかご天井のＸ−Ｘ矢視による断面図である。
【図１１】図９に示すかご天井を上方より見た上面図であって、配線ケーブルの配線経路を示す図である。
【符号の説明】
【００５４】
１    組立作業場
２    パソコン台
３    配線経路最適化装置
３ａ  制御部
３ｂ  記憶部
４    操作部
５    表示部
６    製番手配図面
７    キャスター
８    かご天井（乗りかごの天井）
９    作業台
１０  補強部材
１０ａ  配線穴
１１  点検口
１２  カバー
１３  工具台車
１４  かご天井取付用部品
１５  台車
１６  入力項目
１７  かご天井イメージ
１８  作業者
１９  終了指示ボタン
２０  修正指示ボタン
２１  作業時間内訳
２２  合計作業時間
２３  かご天井イメージ
２４  配線経路
２５  範囲限定ボタン
２６  配線不可領域
２７  修正ボタン
２８  ドラッグ機能
２９  ファイル名入力欄
３０  登録ボタン
３１  検索ボタン
３２  画面
３３  かご室
３４  かご床
３５  かご戸
３６  かご敷居
３７  かご戸駆動装置
３８  巾木
３９  かご出入口部
４０  側板
４１  かご幕板
４２  照明灯
４３  点検口
４４  カバー
４４ａ  配線穴
４５  換気装置
４６  送風口
４７  スピーカー
４８  音抜き穴
４９、４９ａ〜４９ｅ  配線ケーブル
５０  端子箱
５１  かご室内部
５２  照明ケース
５３  枠
５４  調光板
５５  色板
５６  固定具
５７  電源
５８  電力供給ケーブル
【図１】
2009220900.tif 000003
【図２】
2009220900.tif 000004
【図３】
2009220900.tif 000005
【図４】
2009220900.tif 000006
【図５】
2009220900.tif 000007
【図６】
2009220900.tif 000008
【図７】
2009220900.tif 000009
【図８】
2009220900.tif 000010
【図９】
2009220900.tif 000011
【図１０】
2009220900.tif 000012
【図１１】
2009220900.tif 000013